(57)【要約】【課題】撮影者が被写体の眼が開いた状態であるか否かを確認して撮影することは、煩雑であり、正確性に欠ける場合も多い。また、確認することが難しい場合もある。【解決手段】撮像装置２００において、撮像部２０は、画像を撮像する。発光部３０は、被写体へ向けて発光する。赤目検出部６０は、撮像部２０により撮像された画像内において被写体の眼からの再帰光を検出する。制御部１０は、赤目検出部６０により検出された再帰光の有無から画像内の被写体の眼の開閉状態を判定する。【選択図】図１
2008160279.tif 000002
【特許請求の範囲】
【請求項１】
画像を撮像する撮像部と、
被写体へ向けて発光する発光部と、
前記撮像部により撮像された画像内において前記被写体の眼からの再帰光を検出する検出部と、
前記検出部により検出された再帰光の状態から前記画像内の被写体の眼の開閉状態を判定する制御部と、
を備えることを特徴とする撮像装置。
【請求項２】
前記制御部は、前記検出部により検出される再帰光により画像内に発生する赤目の数と、設定された赤目の数とが対応するまで、前記撮像部に撮像を繰り返せしめることを特徴とする請求項１に記載の撮像装置。
【請求項３】
前記制御部は、撮像タイミングを決定するため、前記検出部により検出される再帰光により画像内に発生する赤目の数と、設定された赤目の数とが対応するまで、前記撮像部に予備的な撮像を繰り返せしめることを特徴とする請求項１に記載の撮像装置。
【請求項４】
前記撮像部により撮像された画像内の被写体の眼の開閉状態を、撮影者および被写体の少なくとも一方に通知する通知部をさらに備えることを特徴とする請求項１から３のいずれかに記載の撮像装置。
【請求項５】
撮像した画像内において被写体の赤目現象の有無を検出して、前記被写体の眼の開閉状態を判定することを特徴とする撮像方法。
【発明の詳細な説明】
【技術分野】
【０００１】
本発明は、撮像装置および撮像方法に関する。
【背景技術】
【０００２】
デジタルスチルカメラやデジタルビデオカメラが広く普及してきており、今まで以上に、一般ユーザが写真や動画を手軽に撮影できるようになってきている。一般ユーザは、記念撮影など人物を被写体とすることが多い。人物撮影では、瞬きにより眼が閉じられていない画像を撮影したいという要請がある。
【０００３】
特許文献１は、顔領域の画像を表示部に拡大表示させることにより、撮影者が人物や動物の顔の表情を判別しやすくする技術を開示する。
【特許文献１】特開２００５−１０２１７５号公報
【発明の開示】
【発明が解決しようとする課題】
【０００４】
撮影者が被写体の眼が開いた状態であるか否かを確認して撮影することは、煩雑であり、正確性に欠ける場合も多い。また、確認することが難しい場合もある。例えば、集合写真など複数の人物が被写体となる場合、すべての人物の眼が開いた状態を確認して撮影することは困難である。
【０００５】
本発明はこうした状況に鑑みなされたものであり、その目的は、被写体が瞬きしているか否かを的確に判定し、瞬きしていない写真を撮るなど、その判定結果を様々な処理に活用することができる撮像装置および撮像方法を提供することにある。
【課題を解決するための手段】
【０００６】
上記課題を解決するために、本発明のある態様の撮像装置は、画像を撮像する撮像部と、被写体へ向けて発光する発光部と、撮像部により撮像された画像内において被写体の眼からの再帰光を検出する検出部と、検出部により検出された再帰光の状態から画像内の被写体の眼の開閉状態を判定する制御部と、を備える。「発光部」は間欠的に発光してもよい。
【０００７】
この態様によると、被写体の眼からの再帰光が検出された場合、瞬きなし、再帰光が検出された場合、瞬きありと容易に判定することができ、この判定結果を様々な処理に活用することができる。
【０００８】
制御部は、検出部により検出される再帰光により画像内に発生する赤目の数と、設定された赤目の数とが対応するまで、撮像部に撮像を繰り返せしめてもよい。また、制御部は、撮像タイミングを決定するため、検出部により検出される再帰光により画像内に発生する赤目の数と、設定された赤目の数とが対応するまで、撮像部に予備的な撮像を繰り返せしめてもよい。「設定された赤目の数」は、ユーザの操作により設定された数でもよいし、画像内から検出された被写体の顔に対応した数でもよい。これによると、被写体が瞬きしていない状態の画像をその機会に撮像できない事態を回避することができる。
【０００９】
撮像部により撮像された画像内の被写体の眼の開閉状態を、撮影者および被写体の少なくとも一方に通知する通知部をさらに備えてもよい。「通知部」は、ランプの点灯／非点灯で通知してもよいし、音声出力で通知してもよいし、表示部にメッセージを表示することで通知してもよい。これによると、撮像された画像内の被写体が瞬きしているか否かを、撮影者および被写体の少なくとも一方に認識させることができる。
【００１０】
再帰光により画像内に発生した赤目を補正する補正部をさらに備えてもよい。これにより、赤目が検出された画像を通常の画像と同等のものとして、記録することができる。
【００１１】
発光部は、撮像部に含まれるレンズの光軸に沿った方向に光を照射してもよい。これによると、被写体の眼からの再帰光を取得しやすくすることができる。
【００１２】
本発明の別の態様は、撮像方法である。この方法は、撮像した画像内において被写体の赤目現象の有無を検出して、被写体の眼の開閉状態を判定する。
【００１３】
この態様によると、赤目現象が検出された場合、瞬きなし、赤目現象が検出された場合、瞬きありと容易に判定することができ、この判定結果を様々な処理に活用することができる。
【００１４】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１５】
本発明によれば、被写体が瞬きしているか否かを的確に判定し、様々な処理に活用することができる。
【発明を実施するための最良の形態】
【００１６】
まず、本発明の実施形態の詳細を説明する前に概要を説明する。本実施形態は、赤目現象を検出して、被写体の眼が瞬き中であるか否かを判定する。赤目現象とは、暗いところでフラッシュをたいて撮影した場合などに、人間の眼が赤く写ってしまう現象をいう。暗い中で大きく開いた瞳孔から光が入り、眼球内部の毛細血管が無数に走る脈絡膜層に光が反射して起きる。本実施形態では、この眼から反射される再帰光の有無を検出することにより、被写体の眼が開いている状態か閉じている状態かを検出する。具体的には、再帰光を検出した場合、被写体の眼が開いている状態と判定することができる。この原理を利用して、被写体の眼が瞬き中でない状態の写真を撮像することができる。
【００１７】
図１は、実施形態に係る撮像装置２００の構成図である。実施形態に係る撮像装置２００は、制御部１０、撮像部２０、発光部３０、測距部４０、フォーカス・露出調整部５０、赤目検出部６０、赤目補正部７０、顔検出部８０、操作部９０、通知部１００、表示部１１０および記録部１２０を備える。これらの構成は、ハードウェア的には、任意のコンピュータのＣＰＵ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアのみ、ソフトウェアのみ、またはそれらの組み合わせによっていろいろな形で実現できることは、当業者には理解されるところである。
【００１８】
制御部１０は、撮像装置２００全体を制御する。本実施形態では、主に以下の処理を行う。制御部１０は、赤目検出部６０から赤目現象の有無を取得する。それに加えて、赤目を検出した数を取得してもよい。さらに、画像内で検出すべき赤目の数を設定値として赤目検出部６０に設定し、設定した赤目の数を検出したか否かを検出結果として赤目検出部６０から取得してもよい。また、制御部１０は、顔検出部８０から検出した顔の数を取得する。また、制御部１０は、撮像部２０から取得した画像データを記録部１２０に記録するか否か判断する。例えば、後述する予備撮像して得られた画像データは基本的に記録しない。その他、制御部１０は、撮像部２０から取得した画像データをＪＰＥＧ(Joint Photographic Expert Group）形式などを用いて圧縮符号化する。
【００１９】
撮像部２０は、ＣＣＤ（Charge Coupled Devices）センサやＣＭＯＳ（Complementary Metal-Oxide Semiconductor）イメージセンサなどの撮像素子、レンズ、光学系、ズーム機構および絞り機構などを備え、撮像素子で撮像した画像を電気信号に変換し、制御部１０に出力する。撮像部２０は、制御部１０の指示に応じて撮像する。
【００２０】
発光部３０は、被写体に向けて発光する。撮像装置２００に対して被写体が正面を向いている場合、発光部３０が発光した光は、被写体の瞳孔に入り、網膜に流れる血液を照らすことになる。発光部３０は、発光／非発光を所定の規則で高速に繰り返してもよい。発光強度は、必要最低限でよい。被写体との距離や外光の明るさなどを参照して、適応的に発光強度が調整されてもよい。ここで、外光の明るさは瞳孔開放度に相関する。上述した間欠発光や光強度の調整により、消費電力を低減することができる。また、発光部３０は、発光する光波長を限定してもよい。この場合、赤目検出部６０は、撮像された画像内から再帰光を検索する際、特定色の範囲内で検索することで足りるようになる。さらに、発光部３０は、発光する光波長を赤外線など視覚の範囲外に設定してもよい。この場合、撮像素子で再帰光を検出しつつ、撮像された画像内における被写体の眼を補正しない処理も可能となる。なお、発光部３０の配置については後述する。
【００２１】
測距部４０は、フォーカス調整の対象となる領域（以下、調整対象領域という。）までの距離を測定する。フォーカス・露出調整部５０は、測距部４０によって測定された距離に基づいてレンズ機構を制御することにより、フォーカス調整を行う。また、フォーカス・露出調整部５０は、調整対象領域が好適な明るさとなるように絞り機構やシャッタースピードを制御することにより、露出調整を行う。なお、撮像した画像のコントラストに基づいて、フォーカス調整を行うようにしてもよい。つまり、フォーカスを変化させて調整対象領域のコントラストが最も高くなるフォーカスを選択するようにしてもよい。この場合には、測距部４０は不要である。
【００２２】
赤目検出部６０は、入力画像内における赤目現象の有無を検出する。また、赤目の数も検出する。発光部３０が発光し、網膜に流れる血液に反射した光は、水晶体を通して本撮像装置２００のレンズに再帰光として戻るため赤くなる。赤目検出部６０は、あらかじめ設定された特定の色相および形状パターンの少なくとも一方を入力画像内において探索することにより、入力画像内から赤目を検出する。色相および形状パターンは、本撮像前のテスト撮像を行うことにより、被写体ごとに赤目特徴データとして事前に登録されてもよい。被写体の判定の際に、その特徴データを呼び出して照合することにより、判定精度を向上させることができる。また、赤目の特徴データを統計データとして蓄積すれば、赤目検出処理の精度を向上させることができる。また、上記赤目の特徴データを登録する際、顔検出部８０により検出された個人の顔の特徴データと組み合わせて登録してもよい。赤目の色相、両眼間隔、輪郭との位置関係などの特徴を判定用のデータとして蓄積することができる。このようなデータを使用すると、判定率の向上を図れるばかりでなく、被写体を個別に識別する処理も可能になる。また、発光部３０が間欠的に発光する場合、発光期間に撮像した画像と非発光期間に撮像した画像との間で、色相および形状パターンの少なくとも一方の変化を検出することにより、赤目を検出してもよい。この場合、一枚の画像から赤目を検出する処理よりも効率的に赤目を検出することができる。なお、赤目の検出範囲は、顔検出部８０により検出された顔領域の中だけに限定してもよい。
【００２３】
赤目検出部６０は、制御部１０から赤目の数が設定された場合、入力画像内から検出された赤目の数と一致するか否かを判断し、その判断結果を制御部１０に出力する。なお、クラス写真など、顔の数が多くなる場合、略一致でもよい。赤目補正部７０は、赤目の領域の画素値をあらかじめ設定された画素値に置き換える。例えば、日本人の場合、黒に補正する。赤目補正部７０は、上述した赤目検出部６０における蓄積処理と同様に、補正した被写体ごとに赤目補正データを統計データとして蓄積してもよい。この統計データは、被写体ごとに蓄積された赤目の特徴データと関連付けて蓄積されてもよい。さらに、上述した顔の特徴データと関連付けてもよい。これらの蓄積データを使用することにより、ユーザの希望に沿った自動補正を容易に実現することができ、ユーザの簡便さと満足度を向上させることができる。
【００２４】
顔検出部８０は、入力画像内から人物または動物の顔を検出する。入力画像内に複数の顔が存在する場合、そのすべてを検出する。顔検出部８０は、検出した顔の数を制御部１０に出力する。この顔の数に対応した眼の数は、撮像された複数の画像から一つを選択するための条件または撮像タイミングを決定するための条件として使用される。顔検出は、公知の方法で行えばよく、特に限定されるものではない。例えば、エッジ検出または形状パターン検出による顔検出方法、色相抽出または肌色抽出による顔検出方法を用いることができる。
【００２５】
以下、エッジ検出を用いる場合の具体例について説明する。この方法は、あらかじめ顔の大きさや濃淡値を正規化した顔画像の目、鼻、口、顔の輪郭などを含む顔領域から様々なエッジ特徴を抽出し、顔であるか否かを識別するのに有効な特徴量を統計的手法に基づき学習することにより顔識別器を構築する。
【００２６】
入力画像の中から顔を検出するために、学習の際に正規化した顔サイズで入力画像の端からラスタスキャンしながら、同様な特徴量を抽出する。その特徴量から、識別器によりその領域が顔か否か判断する。特徴量には、例えば、水平エッジ、垂直エッジ、右斜めエッジ、左斜めエッジなどを用いることができる。顔が検出されなければ、入力画像を一定の割合で縮小し、縮小後の画像に対して、上記と同様にラスタスキャンしながら顔を検索する。このような処理を繰り返すことにより、画像中から任意の大きさの顔を見つけることができる。なお、これらの手法は、動物の顔を検出する場合にも適用することができる。
【００２７】
操作部９０は、シャッターボタンなどの各種ボタンを含む。ユーザは、操作部９０を操作することにより、自動撮像モードへの遷移を制御部１０に指示することができる。それと共に、撮像された複数の画像から一つを選択するための条件または撮像タイミングを決定するための条件を制御部１０に設定することができる。例えば、三人の集合写真を撮る場合、赤目の数を三組または六個に設定する。なお、横顔を撮像したい場合、赤目の数を正面を撮像する場合の半分に設定すればよい。
【００２８】
通知部１００は、被写体となる人物または撮影者に様々な情報を通知する。例えば、被写体となる人物または撮影者に対して、撮像した画像に瞬きがあるまたはない旨、通知する。また、被写体となる人物に対して、レンズの方向を見るよう、通知してもよい。通知方法としては、表示部１１０にメッセージを表示する方法、音声でメッセージを伝達する方法、またはＬＥＤなどのランプの点灯／非点灯で瞬きの有無を認識させる方法などを用いることができる。
【００２９】
表示部１１０は、撮像された画像、上述したメッセージ、上記条件の設定画面およびその他の各種情報などを表示する。記録部１２０は、メモリーカードスロット、ＤＶＤ、またはＨＤＤを備え、撮像された画像などを記録媒体に記録する。
【００３０】
図２は、本実施形態に係る発光部３０が照射した光が被写体ｓの眼に反射して再帰光ｒとして戻る様子を示す図である。発光部３０は、撮像部２０に備えられたレンズ２２に近接した位置に設けられる。レンズ２２の光軸ｏに平行または平行に近い光を照射する。発光部３０から照射された光は、被写体ｓの眼に反射し、再帰光ｒとしてレンズ２２に入射する。
【００３１】
図３（ａ）−（ｃ）は、本実施形態に係る発光部３０の配置例を示す。図３（ａ）は、図２に示したレンズ２２と発光部３０の配置に対応し、レンズ２２の上方に接した位置に発光部３０が設けられる。図３（ｂ）は、レンズ２２の周縁部から光が照射されるようリング状に発光部３０が設けられる。図３（ｃ）は、レンズ２２の周縁部の上半分から光が照射されるよう半リング状に発光部３０が設けられる。いずれの配置においても、発光部はレンズ２２の光軸に平行または略平行な光を照射することができる。
【００３２】
図４（ａ）−（ｂ）は、本実施形態に係る撮像装置２００で撮像されたポートレート写真を示す。図４（ａ）は、被写体ｓが瞬き中の画像を示す。図４（ｂ）は、被写体ｓから赤目ｒｅが検出された画像を示す。制御部１０は、図４（ａ）に示す瞬き中の画像を削除し、図４（ｂ）に示す被写体ｓから赤目ｒｅが検出された画像を記録用画像として記録部１２０に記録する。
【００３３】
図５（ａ）−（ｂ）は、本実施形態に係る撮像装置２００で撮像された集合写真を示す。この集合写真は、七人の被写体ｓ１〜ｓ７を写したものである。図５（ａ）は、七人の被写体ｓ１〜ｓ７の内、四人の被写体ｓ２、ｓ３、ｓ５、ｓ７から赤目ｒｅが検出され、残り三人の被写体ｓ１、ｓ４、ｓ６が瞬き中の画像を示す。図５（ｂ）は、七人の被写体ｓ１〜ｓ７全員から赤目ｒｅが検出された画像を示す。
【００３４】
赤目検出部６０は、顔検出部８０により検出された顔の数に対応した数の赤目、または操作部９０からユーザに設定された数の赤目を、撮像された画像内から検出できたか否かを制御部１０に通知する。図５（ａ）では、検出すべき赤目ｒｅの数が七組十四個であるが、検出できた赤目ｒｅの数は四組八個である。これに対し、図５（ｂ）では、撮像された画像内から検出できた赤目ｒｅの数が七組十四個である。よって、制御部１０は、図５（ａ）に示す瞬き中の被写体ｓが含まれる画像を削除し、図５（ｂ）に示す被写体ｓ全員から赤目ｒｅが検出された画像を記録用画像として記録部１２０に記録する。
【００３５】
図６は、本実施形態に係る撮像装置２００の動作例１について説明するためのフローチャートである。動作例１は、連続撮像して得られた画像から赤目を参照して、記録すべき画像を選択する例である。以下の例では、撮影者が被写体に収まらない例を想定するが、撮影者が被写体に収まる自動撮像モードにも適用可能である。
【００３６】
ユーザは、撮像に先立ち、撮像された画像内から検出すべき赤目の数を操作部９０から設定することができる。例えば、ユーザが被写体の人数を設定し、制御部１０がそれを２倍にして検出すべき赤目の数としてもよい。
【００３７】
ユーザは、操作部９０を操作することにより、発光部３０が発光するよう制御部１０に指示する。発光部３０は、制御部１０からの指示により被写体へ発光する（Ｓ１０）。この際、発光部３０は間欠的な光を発光してもよい。間欠的に発光させて、光量を必要最低限とすることにより、被写体の瞳孔の縮小を最小限に抑えることができ、再帰光を得やすくなる。
【００３８】
次に、ユーザは、操作部９０を操作することにより、撮像するよう制御部１０に指示する。撮像部２０は、制御部１０からの指示により撮像する（Ｓ１２）。なお、発光と撮像の一連の動作は、ユーザの一つの操作により発動されてもよい。赤目検出部６０は、撮像部２０により撮像された画像内の赤目を探索する（Ｓ１４）。なお、撮像された画像内から検出すべき赤目の数がユーザから設定されない場合、顔検出部８０は撮像された画像内から顔を検出する。
【００３９】
制御部１０は、上記画像内から検出された赤目の数と、ユーザの設定または顔検出部８０により検出された顔の数に対応した赤目の数（以下、目標値という）とを比較する（Ｓ１６）。一致しない場合（Ｓ１６のＮ）、通知部１００は、瞬がある旨のメッセージを表示部１１０に表示させて、撮影者に通知する（Ｓ１８）。また、通知部１００は、ＬＥＤランプを赤く点灯させたり、ビープ音を鳴らせたり、「瞬きしないでカメラを見てください」などの音声ガイダンスを流すことにより、瞬きがある旨を被写体に通知してもよい。特に、自動撮像モードの場合、被写体への通知があることが望ましい。このような通知後、ステップＳ１０に遷移し、発光および撮像を継続する。よって、ステップＳ１６で赤目の数が目標値と一致しない間、連続撮像されることになる。
【００４０】
ステップＳ１６にて、検出された赤目の数と目標値とが一致した場合（Ｓ１６のＹ）、制御部１０は、その一致した画像を記録用の画像として選択する（Ｓ２０）。ここで、それまでに撮像された画像は、破棄してもよい。通知部１００は、瞬がない旨のメッセージを表示部１１０に表示させて、撮影者に通知する（Ｓ２２）。また、通知部１００は、ＬＥＤランプを緑色に点灯させたり、「撮影が完了しました」などの音声ガイダンスを流すことにより、瞬きがない画像が撮像された旨を被写体に通知してもよい。特に、自動撮像モードの場合、被写体への通知があることが望ましい。
【００４１】
赤目補正部７０は、選択された画像の赤目を補正する（Ｓ２４）。制御部１０は、赤目が補正された画像を記録部１２０に記録する（Ｓ２６）。
【００４２】
図７は、本実施形態に係る撮像装置２００の動作例２について説明するためのフローチャートである。動作例２は、予備撮像して得られた画像から赤目を検出して、本撮像のタイミングを決定する例である。以下の例では、自動撮像モードを想定するが、撮影者が撮像装置２００を手に持って固定している場合にも適用可能である。自動撮像モードは、ユーザが操作部９０を操作して開始されてもよいし、ユーザのリモコン操作により開始されてもよし、ユーザが設定したタイマーが終了したときから開始されてもよい。
【００４３】
図７に示すフローチャートは、図６に示したフローチャートと基本部分が共通するため、主に、相違点について説明する。発光部３０が発光を開始した後、撮像部２０は、制御部１０からの指示により予備撮像する（Ｓ１１）。なお、本撮像装置２００が動画撮像モードを搭載している場合、そのモードを利用して、予備撮像として動画像を撮像してもよい。予備撮像された画像は、本撮像のタイミングを決定するために利用されるものであり、基本的に記録されることが想定されていない。よって、赤目を検出できる最低限の品質を備えていればよく、解像度が低い画像であってもよい。
【００４４】
制御部１０は、予備撮像された画像内から検出された赤目の数と、目標値とを比較し、一致しない間（Ｓ１６のＮ）、予備撮像が続けられる（Ｓ１１）。なお、ここでの比較条件は、一致に限るものでなく、ユーザ設定などにより、ある程度幅を持たせたものであってもよい。例えば、目標値より多い赤目が検出された場合を一致とみなす設定も可能であり、目標値の９割の赤目が検出された場合を一致とみなす設定も可能である。ステップＳ１６にて、検出された赤目の数と目標値とが一致した場合（Ｓ１６のＹ）、撮像部２０は本撮像を実行する（Ｓ１９）。通知部１００は、瞬がない旨のメッセージを被写体に通知する（Ｓ２２）。赤目補正部７０は、本撮像された画像の赤目を補正する（Ｓ２３）。制御部１０は、赤目が補正された画像を記録部１２０に記録する（Ｓ２６）。
【００４５】
以上説明したように本実施形態によれば、撮像した画像から赤目を検出することにより、被写体が瞬き中であるか否かを的確に判定することができる。よって、赤目を検出した画像を記録用画像に選択すれば、ほぼ確実に目が開いている画像を記録することができる。また、目の開いているタイミングで自動撮像させることもできる。特に集合写真を撮影する際、事前に撮影対象の人数を設定または自動認識し、全員の眼から再帰光を検出して、全員の眼が開いた状態か否かを判別することにより、全員の眼が開いた状態の写真を撮ることができる。また、瞬きがある画像を撮像したか瞬きがない画像を撮像したかを撮影者に通知することができるため、撮影者は即座に瞬きの有無を認識することができる。集合写真の場合、一度解散した後の撮り直しが比較的難しいため、本実施形態は特に有効である。
【００４６】
また、音声やランプ表示などを用いて、被写体に対してレンズに顔を向けて眼を開いたままでいるよう誘導することにより、正面を向いた好適な構図の画像を撮像することができる。また、瞬きのない写真が撮れた後、その旨を被写体および撮影者に通知することにより、被写体だった人物がポーズを解除したり、撮影者が次の作業に移ったりすることができる。
【００４７】
また、赤目が検出されるまで連続撮像することにより、幼児や動物など言葉を理解できない被写体に対しても、瞬きをしていない画像をほぼ確実に撮像することができる。また、赤目現象がある画像を補正することにより、通常の自然な画像を記録することができる。
【００４８】
以上、本発明をいくつかの実施形態をもとに説明した。これらの実施形態は例示であり、それらの各構成要素や各処理プロセスの組合せにいろいろな変形例が可能なこと、またそうした変形例も本発明の範囲にあることは当業者に理解されるところである。
【００４９】
また、上述した実施形態では、人物の眼からの再帰光を想定したが、犬や猫など動物の眼からの再帰光にも適用可能である。それぞれの動物や種類に応じた色相や形状をあらかじめ登録しておけば、人間と場合と同様に眼からの再帰光を検出することができる。
【図面の簡単な説明】
【００５０】
【図１】実施形態に係る撮像装置の構成図である。
【図２】実施形態に係る発光部が照射した光が被写体の眼に反射して再帰光として戻る様子を示す図である。
【図３】図３（ａ）−（ｃ）は、実施形態に係る発光部の配置例を示す。
【図４】図４（ａ）−（ｂ）は、実施形態に係る撮像装置で撮像されたポートレート写真を示す。
【図５】図５（ａ）−（ｂ）は、実施形態に係る撮像装置で撮像された集合写真を示す。
【図６】実施形態に係る撮像装置の動作例１について説明するためのフローチャートである。
【図７】実施形態に係る撮像装置の動作例２について説明するためのフローチャートである。
【符号の説明】
【００５１】
１０  制御部、  ２０  撮像部、  ３０  発光部、  ４０  測距部、  ５０  フォーカス・露出調整部、  ６０  赤目検出部、  ７０  赤目補正部、  ８０  顔検出部、  ９０  操作部、  １００  通知部、  １１０  表示部、  １２０  記録部、  ２００  撮像装置。  
【図１】
2008160279.tif 000003
【図２】
2008160279.tif 000004
【図３】
2008160279.tif 000005
【図４】
2008160279.tif 000006
【図５】
2008160279.tif 000007
【図６】
2008160279.tif 000008
【図７】
2008160279.tif 000009